(57)【要約】【課題】複数の通信管理装置を含むネットワークにおいて無線端末が移動した場合にも優先制御を機能させることを目的とする。【解決手段】無線端末は通信管理装置識別子と帯域確保管理装置識別子とを含む端末登録を中継装置に送信し、中継装置輻輳前記端末登録を受信したときに無線端末の第１の端末登録を帯域確保管理装置識別子で特定される帯域確保管理装置に送信し、帯域確保管理装置は第１の端末登録を受信したときに無線端末と中継装置との関連を格納し、無線端末の第２の端末登録を通信管理装置識別子で特定される通信管理装置に送信し、通信管理装置は第２の端末登録を受信したときに、無線端末と帯域確保管理装置との関連を格納する。【選択図】図６
2011061864.tif 000002
【特許請求の範囲】
【請求項１】
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：無線端末が、入力された通信管理装置識別子と帯域確保管理装置識別子とを含む端末登録を前記中継装置に送信するステップ；
前記中継装置が、前記端末登録を受信したときに、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納する
前記ステップ；
を有する連携方法。
【請求項２】
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記通信管理装置識別子から帯域確保管理装置識別子を導出し、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法。
【請求項３】
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記無線端末の第１の端末登録を入力された帯域確保管理装置識別子で特定される帯域確保管理装置に送信する帯域確保管理装置送信ステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法。
【請求項４】
前記帯域確保管理装置送信ステップは、前記中継装置が、入力された帯域確保管理装置識別子で特定される帯域確保管理装置が故障しているか否かを判別し、前記無線端末の第１の端末登録を故障していない帯域確保管理装置に送信することを特徴とする、請求項３に記載の連携方法。
【請求項５】
無線端末間の通信接続を確立する通信管理装置と、通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子と帯域確保管理装置識別子とを含む端末登録を受信したときに、前記帯域確保管理装置識別子で特定される帯域確保管理装置に対して、前記無線端末の第１の端末登録を送信する第１の端末登録送受信手段；
を有する中継装置。
【請求項６】
無線端末間の通信接続を確立する通信管理装置と、帯域確保管理装置からの帯域確保要求に応じて無線端末間の帯域確保を行う中継装置とに接続され、通信管理装置からの帯域確保要求に応じて無線端末間の帯域確保を中継装置に送信する帯域確保管理装置であって：
中継装置から通信管理装置識別子を含む無線端末の端末登録を受信したときに、前記無線端末と前記中継装置との関連を格納する関連付け格納手段；及び
中継装置から通信管理装置識別子を含む無線端末の端末登録を受信したときに、前記無線端末の第２の端末登録を前記通信管理装置識別子で特定される通信管理装置に送信する第２の端末登録送受信手段；
を有する帯域確保管理装置。
【請求項７】
通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子を含む端末登録を受信したときに、入力された帯域確保管理装置識別子で特定される帯域確保管理装置に対して、前記無線端末の第１の端末登録を送信する第１の端末登録送受信手段；
を有する中継装置。
【発明の詳細な説明】
【技術分野】
【０００１】
本発明は、通信管理装置と帯域確保管理装置と中継装置と無線端末とを関連付ける連携方法、中継装置及び帯域確保管理装置に関する。
【背景技術】
【０００２】
無線ＬＡＮ環境におけるＶｏＩＰ（Voice Over IP）通信では、一定間隔で音声データを中継装置と無線端末との間で通信する。このとき、他の無線端末が大量のデータを送信し始めると、音声データに遅延が生じる可能性がある。そのため、複数の通信が行われている場合に、音声データのような特定の通信を優先させたいというニーズがある。
【０００３】
このように無線ＬＡＮにおいて、通信パケットを優先的に送受信するための制御（以下、優先制御という）を行う方法として、例えば以下の方法が存在する。
【０００４】
特許文献１に記載の通信システムでは、無線端末の識別情報を記録しておき、ＳＩＰサーバは無線端末の通話状態を記録して、同一のアクセスポイントにおける通話数を制限することで音声パケットの帯域を確保している。
【０００５】
また、特許文献２に記載の通信システムでは、アクセスポイントマネージャと呼ばれる帯域確保管理装置を用いて優先制御を行う。この通信システムを図１に記載する。図１の通信システムは、ＳＩＰ（Session Initiation Protocol）サーバ１と、アクセスポイントマネージャ３と、アクセスポイント５ａ及び５ｂと、無線端末７ａ及び７ｂとから構成される。ＳＩＰサーバ１は、ＳＩＰプロトコルに基づいてＶｏＩＰ（Voice over Internet Protocol）通信を制御する。アクセスポイントマネージャ３は、アクセスポイントからの無線端末の端末登録を受け付ける。また、アクセスポイントマネージャ３は、ＳＩＰサーバ１からの帯域確保の要求をアクセスポイントに要求する。アクセスポイント５ａ及び５ｂは、アクセスポイントマネージャからの帯域確保の要求に基づいてＶｏＩＰ通信の音声パケットを優先して扱う。
【０００６】
この通信システムにおいて、無線端末７ａが無線端末７ｂにＳＩＰプロトコルに基づいてＶｏＩＰ通信をする場合に、以下のような手順で通信が行われる。無線端末７ａがアクセスポイント５ａを介してＳＩＰサーバに接続要求をすると（Ｓ１）、ＳＩＰサーバ１はアクセスポイントマネージャ３に帯域確保を要求する（Ｓ３）。アクセスポイントマネージャ３は、その帯域確保の要求を発信元及び宛先のアクセスポイント５ａ及び５ｂに送信し（Ｓ５）、アクセスポイント５ａ及び５ｂが帯域確保を行う。その結果、無線端末７ａから無線端末７ｂへのＶｏＩＰ通信が可能になる。
【０００７】
この通信システムにおいて、図２のようにＳＩＰサーバが複数存在する場合に次のような現象が生じる。ＳＩＰサーバ１ａとアクセスポイントマネージャ３ａとアクセスポイント５ａとが相互に関連付けられ、ＳＩＰサーバ１ｂとアクセスポイントマネージャ３ｂとアクセスポイント５ｂとが相互に関連付けられているとする。無線端末７ａがアクセスポイント５ａの受信範囲にいる場合には、上記の手順によって無線端末７ｂと優先制御のあるＶｏＩＰ通信をすることができる。しかし、無線端末７ａがアクセスポイント５ｂの受信範囲に移動しても、無線端末７ａはＳＩＰサーバ１ａにＳＩＰ信号を送信する。これは、ＳＩＰサーバ１ａに無線端末７ａの加入者データが登録されているためであり、無線端末７ａは登録されているＳＩＰサーバ１ａに対してのみＳＩＰ信号を送信するためである。そのため、ＳＩＰサーバ１ａはアクセスポイントマネージャ３ａに帯域確保を要求してしまい、アクセスポイントマネージャ３ａはアクセスポイント５ｂを管理していないため、帯域確保の要求が失敗してしまう。
【先行技術文献】
【特許文献】
【０００８】
【特許文献１】特開２００５−２２９５９１号公報
【特許文献２】特開２００５−８０１５７号公報
【発明の概要】
【発明が解決しようとする課題】
【０００９】
このように、無線端末はＳＩＰ信号を送信するＳＩＰサーバを認識しているため、無線端末が移動した場合に移動前のＳＩＰサーバにアクセスしてしまうと、帯域確保の要求が失敗することになる。その結果、優先制御が行われなくなる。
【００１０】
本発明は、前記のような従来技術の課題に鑑みなされたものであり、複数の通信管理装置（ＳＩＰサーバ）を含むネットワークにおいて無線端末が移動した場合にも優先制御を機能させることを目的とする。
【課題を解決するための手段】
【００１１】
本発明の前記の目的は、
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子と帯域確保管理装置識別子とを含む端末登録を前記中継装置に送信するステップ；
前記中継装置が、前記端末登録を受信したときに、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法、によって解決することができる。
【００１２】
更に、本発明の前記の目的は、
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記通信管理装置識別子から帯域確保管理装置識別子を導出し、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法、によっても解決することができる。
【００１３】
更に、本発明の前記の目的は、
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記無線端末の第１の端末登録を入力された帯域確保管理装置識別子で特定される帯域確保管理装置に送信する帯域確保管理装置送信ステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法、によっても解決することができる。
【００１４】
また、本発明の前記の目的は、これらの連携方法に対応する中継装置及び通信管理装置によっても解決することができる。
【発明の効果】
【００１５】
本発明の実施形態によれば、複数の通信管理装置（ＳＩＰサーバ）を含むネットワークにおいて無線端末が移動した場合にも優先制御を機能させることができる。
【図面の簡単な説明】
【００１６】
【図１】ＶｏＩＰ通信を提供する通信システムの全体図
【図２】図１の通信システムにおいて無線端末が移動したときの接続関係を示す図
【図３】本発明の第１実施形態の通信システムの全体図
【図４】本発明の第１実施形態の通信システムの処理手順を示すフローチャート
【図５】本発明の第２実施形態の通信システムの全体図
【図６】本発明の第２実施形態の通信システムの処理手順を示すフローチャート
【図７】本発明の第３実施形態の通信システムの全体図
【図８】本発明の第３実施形態の通信システムの処理手順を示すフローチャート
【図９】本発明の第４実施形態の通信システムの全体図
【図１０】本発明の第４実施形態の通信システムの処理手順を示すフローチャート
【図１１】本発明の第５実施形態の通信システムの全体図
【図１２】本発明の第６実施形態の通信システムの処理手順を示すフローチャート
【発明を実施するための形態】
【００１７】
以下、図面を参照して本発明の実施形態について説明する。
【００１８】
＜第１実施形態＞
図３及び図４を参照して本発明の第１実施形態について説明する。第１実施形態では、図２のような環境においても、ＳＩＰサーバとアクセスポイントマネージャとアクセスポイントと無線端末とが関連付けられる方式について検討する。このような関連付けは、無線端末がアクセスポイントと無線接続をしたときの端末登録で実施する。具体的には、アクセスポイントマネージャのアドレス（以下、ＡＰＭ（アクセスポイントマネージャ）アドレスという）をＳＩＰサーバに予め格納しておき、無線端末の端末登録時にＳＩＰサーバがＡＰＭアドレスをアクセスポイントに通知する。
【００１９】
図３は、本発明の第１実施形態の通信システムの全体図である。この通信システムは、無線端末１１と、アクセスポイント１３と、アクセスポイントマネージャ１５と、ＳＩＰサーバ１７とから構成される。
【００２０】
無線端末１１は、無線端末の端末登録を要求する端末登録送信手段１１１を有する。
【００２１】
アクセスポイント１３は、無線端末１１から端末登録を受信したときにＳＩＰサーバ１７に端末登録を要求する第１の端末登録送受信手段１３１と、ＳＩＰサーバ１７からＡＰＭアドレスを受信したときにアクセスポイントマネージャ１５に端末登録を要求する第２の端末登録送受信手段１３３とを有する。
【００２２】
アクセスポイントマネージャ１５は、アクセスポイント１３から端末登録を受信したときに無線端末１１とアクセスポイント１３とを関連付けて格納する関連付け格納手段１５１を有する。
【００２３】
ＳＩＰサーバ１７は、アクセスポイント１３から端末登録を受信する端末登録受信手段１７１と、アクセスポイント１３から端末登録を受信したときに予め格納されているＡＰＭアドレスを通知するＡＰＭアドレス通知手段１７３とを有する。
【００２４】
このような通信システムにおける処理手順を示すフローチャートを図４に示す。
【００２５】
無線端末がアクセスポイントと無線接続すると（Ｓ１０１）、無線端末はアクセスポイントに端末登録を要求する（Ｓ１０３）。この端末登録にはＳＩＰサーバのアドレスが含まれる。アクセスポイントは指定されたＳＩＰサーバに端末登録を送信する（Ｓ１０５）。ＳＩＰサーバには予めＡＰＭアドレスが格納されているため、ＳＩＰサーバは端末登録後にＡＰＭアドレスをアクセスポイントに返信する（Ｓ１０７）。アクセスポイントは受信したＡＰＭアドレスに対して端末登録を要求する（Ｓ１０９）。アクセスポイントマネージャは無線端末とアクセスポイントとの関連がわかるため、この関連付けを格納し、端末登録の要求（Ｓ１０９）の応答としてＯＫをアクセスポイントに返信する（Ｓ１１１）。アクセスポイントは、端末登録の要求（Ｓ１０１）の応答としてＯＫを無線端末に返信する（Ｓ１１３）。
【００２６】
このように、第１実施形態によれば、端末登録のときにＳＩＰサーバからアクセスポイントにＡＰＭアドレスが通知されるため、アクセスポイントがアクセスポイントマネージャを特定することができ、それぞれの関連付けが実現できる。従って、無線端末が移動した場合にも、移動先で端末登録が行われて上記の関連付けが実現できるため、ＶｏＩＰ通信の優先制御を機能させることができる。
【００２７】
＜第２実施形態＞
図５及び図６を参照して本発明の第２実施形態について説明する。第２実施形態では、図２のような環境においても、ＳＩＰサーバとアクセスポイントマネージャとアクセスポイントと無線端末とが関連付けられる方式について検討する。このような関連付けは、無線端末がアクセスポイントと無線接続をしたときの端末登録で実施する。具体的には、アクセスポイントマネージャのアドレス（以下、ＡＰＭアドレスという）を無線端末に予め格納しておき、無線端末の端末登録時に無線端末がＡＰＭアドレスをアクセスポイントに通知する。
【００２８】
図５は、本発明の第２実施形態の通信システムの全体図である。この通信システムは、無線端末２１と、アクセスポイント２３と、アクセスポイントマネージャ２５と、ＳＩＰサーバ２７とから構成される。
【００２９】
無線端末２１は、予め格納されたＡＰＭアドレスを付加して無線端末の端末登録を要求する端末登録送信手段２１１を有する。
【００３０】
アクセスポイント２３は、無線端末２１から端末登録を受信したときにアクセスポイントマネージャ２５に端末登録を要求する第１の端末登録送受信手段２３１を有する。
【００３１】
アクセスポイントマネージャ２５は、アクセスポイント２３から端末登録を受信したときにＳＩＰサーバ２７に端末登録を要求する第２の端末登録送受信手段２５１と、アクセスポイント２３から端末登録を受信したときに無線端末２１とアクセスポイント２３とを関連付けて格納する関連付け格納手段２５３とを有する。
【００３２】
ＳＩＰサーバ２７は、アクセスポイントマネージャ２５から端末登録を受信する端末登録受信手段２７１と、アクセスポイント２５から端末登録を受信したときに無線端末２１とアクセスポイントマネージャ２５とを関連付けて格納する関連付け格納手段２７３とを有する。
【００３３】
このような通信システムにおける処理手順を示すフローチャートを図６に示す。
【００３４】
無線端末がアクセスポイントと無線接続すると（Ｓ２０１）、無線端末は予め格納されたＡＰＭアドレスを付加してアクセスポイントに端末登録を要求する（Ｓ２０３）。この端末登録にはＳＩＰサーバのアドレスが含まれる。アクセスポイントは指定されたアクセスポイントマネージャに端末登録を送信する（Ｓ２０５）。アクセスポイントマネージャは端末登録を受信したときに無線端末とアクセスポイントとの関連がわかるため、この関連付けを格納し、ＳＩＰサーバに端末登録を要求する（Ｓ２０７）。ＳＩＰサーバが端末登録を受信したときに無線端末とアクセスポイントマネージャとの関連がわかるため、この関連付けを格納し、端末登録の要求（Ｓ２０７）の応答としてＯＫをアクセスポイントマネージャに返信する（Ｓ２０９）。アクセスポイントマネージャは端末登録の要求（Ｓ２０５）の応答としてＯＫをアクセスポイントに返信する（Ｓ２１１）。次に、アクセスポイントは端末登録をＳＩＰサーバに要求してもよく（Ｓ２１３）、その応答としてＳＩＰサーバはアクセスポイントにＯＫを返信してもよい（Ｓ２１５９。全ての端末登録が終了したときに、アクセスポイントは端末登録の要求（Ｓ２０１）の応答としてＯＫを無線端末に返信する（Ｓ２１７）。
【００３５】
このように、第２実施形態によれば、端末登録のときに無線端末からアクセスポイントにＡＰＭアドレスが通知されるため、アクセスポイントがアクセスポイントマネージャを特定することができ、それぞれの関連付けが実現できる。従って、無線端末が移動した場合にも、移動先で端末登録が行われて上記の関連付けが実現できるため、ＶｏＩＰ通信の優先制御を機能させることができる。
【００３６】
＜第３実施形態＞
図７及び図８を参照して本発明の第３実施形態について説明する。第３実施形態では、図２のような環境においても、ＳＩＰサーバとアクセスポイントマネージャとアクセスポイントと無線端末とが関連付けられる方式について検討する。このような関連付けは、無線端末がアクセスポイントと無線接続をしたときの端末登録で実施する。具体的には、アクセスポイントマネージャとＳＩＰサーバとの対応関係をアクセスポイントに予め格納しておき、無線端末の端末登録時にアクセスポイントがアクセスポイントマネージャのアドレス（以下、ＡＰＭアドレスという）を導出する。
【００３７】
図７は、本発明の第３実施形態の通信システムの全体図である。この通信システムは、無線端末３１と、アクセスポイント３３と、アクセスポイントマネージャ３５と、ＳＩＰサーバ３７とから構成される。
【００３８】
無線端末３１は、無線端末の端末登録を要求する端末登録送信手段３１１を有する。
【００３９】
アクセスポイント３３は、無線端末３１から端末登録を受信したときに、予め格納されたアクセスポイントマネージャとＳＩＰサーバとの対応関係からＡＰＭアドレスを導出するＡＰＭアドレス導出手段３３３を有する。また、アクセスポイント３３は、無線端末３１から端末登録を受信したときに、導出されたＡＰＭアドレスに対して端末登録を要求する第１の端末登録送受信手段３３１を有する。
【００４０】
ＡＰＭアドレス導出手段は、ＳＩＰサーバとアクセスポイントマネージャとを対応付けたテーブルを参照してＡＰＭアドレスを導出してもよく、計算式（ＡＰＭアドレス＝ＳＩＰサーバのアドレス＋α）からＡＰＭアドレスを導出してもよい。例えばアクセスポイントがＳＩＰサーバと１対１の関係で配置されている場合には、ＡＰＭアドレスはＳＩＰサーバのアドレスに１を加算（又は減算）したものである可能性が高いため、このような配置では計算式を使用してＡＰＭアドレスを導出することができる。
【００４１】
アクセスポイントマネージャ３５は、アクセスポイント３３から端末登録を受信したときにＳＩＰサーバ３７に端末登録を要求する第２の端末登録送受信手段３５１と、アクセスポイント３３から端末登録を受信したときに無線端末３１とアクセスポイント３３とを関連付けて格納する関連付け格納手段３５３とを有する。
【００４２】
ＳＩＰサーバ３７は、アクセスポイントマネージャ３５から端末登録を受信する端末登録受信手段３７１と、アクセスポイント３５から端末登録を受信したときに無線端末３１とアクセスポイントマネージャ３５とを関連付けて格納する関連付け格納手段３７３とを有する。
【００４３】
このような通信システムにおける処理手順を示すフローチャートを図８に示す。
【００４４】
無線端末がアクセスポイントと無線接続すると（Ｓ３０１）、無線端末はアクセスポイントに端末登録を要求する（Ｓ３０３）。この端末登録にはＳＩＰサーバのアドレスが含まれる。アクセスポイントはＳＩＰサーバのアドレスがわかるため、予め格納されたアクセスポイントとＳＩＰサーバとの対応関係からＡＰＭアドレスを導出し、導出されたＡＰＭアドレスに対して端末登録を送信する（Ｓ３０５）。以下、第２実施形態（Ｓ２０７以降）と同様に処理が続く。
【００４５】
このように、第３実施形態によれば、端末登録のときにアクセスポイントがＡＰＭアドレスを導出することができ、それぞれの関連付けが実現できる。従って、無線端末が移動した場合にも、移動先で端末登録が行われて上記の関連付けが実現できるため、ＶｏＩＰ通信の優先制御を機能させることができる。
【００４６】
＜第４実施形態＞
図９及び図１０を参照して本発明の第４実施形態について説明する。第４実施形態では、図２のような環境においても、ＳＩＰサーバとアクセスポイントマネージャとアクセスポイントと無線端末とが関連付けられる方式について検討する。このような関連付けは、無線端末がアクセスポイントと無線接続をしたときの端末登録で実施する。具体的には、アクセスポイントマネージャのアドレス（以下、ＡＰＭアドレスという）をアクセスポイントに予め格納しておき、無線端末の端末登録時にアクセスポイントがアクセスポイントマネージャを特定する。
【００４７】
図９は、本発明の第４実施形態の通信システムの全体図である。この通信システムは、無線端末４１と、アクセスポイント４３と、アクセスポイントマネージャ４５と、ＳＩＰサーバ４７とから構成される。
【００４８】
無線端末４１は、無線端末の端末登録を要求する端末登録送信手段４１１を有する。
【００４９】
アクセスポイント４３は、無線端末４１から端末登録を受信したときに、予め格納されたＡＰＭアドレスに対して端末登録を要求する第１の端末登録送受信手段４３１を有する。
【００５０】
アクセスポイントマネージャ４５は、アクセスポイント４３から端末登録を受信したときにＳＩＰサーバ４７に端末登録を要求する第２の端末登録送受信手段４５１と、アクセスポイント４３から端末登録を受信したときに無線端末４１とアクセスポイント４３とを関連付けて格納する関連付け格納手段４５３とを有する。
【００５１】
ＳＩＰサーバ４７は、アクセスポイントマネージャ４５から端末登録を受信する端末登録受信手段４７１と、アクセスポイント４５から端末登録を受信したときに無線端末４１とアクセスポイントマネージャ４５とを関連付けて格納する関連付け格納手段４７３とを有する。
【００５２】
このような通信システムにおける処理手順を示すフローチャートを図１０に示す。
【００５３】
無線端末がアクセスポイントと無線接続すると（Ｓ４０１）、無線端末はアクセスポイントに端末登録を要求する（Ｓ４０３）。この端末登録にはＳＩＰサーバのアドレスが含まれる。アクセスポイントは、予め格納されたＡＰＭアドレスに対してＳＩＰサーバのアドレスを含む端末登録を送信する（Ｓ４０５）。以下、第２実施形態（Ｓ２０７以降）と同様に処理が続く。
【００５４】
このように、第４実施形態によれば、端末登録のときにアクセスポイントが予め格納されているＡＰＭアドレスに対して端末登録を要求することができるため、それぞれの関連付けが実現できる。従って、無線端末が移動した場合にも、移動先で端末登録が行われて上記の関連付けが実現できるため、ＶｏＩＰ通信の優先制御を機能させることができる。
【００５５】
＜第５実施形態＞
図１１及び図１２を参照して本発明の第５実施形態について説明する。第４実施形態ではアクセスポイントマネージャのアドレス（以下、ＡＰＭアドレスという）が予め格納されているが、第５実施形態では複数のＡＰＭアドレスが予め格納されている場合に、ＡＰＭアドレスの故障状態を判別して端末登録を行うことについて検討する。
【００５６】
図１１は、本発明の第５実施形態の通信システムの全体図である。この通信システムは、無線端末５１と、アクセスポイント５３と、アクセスポイントマネージャ５５と、ＳＩＰサーバ５７とから構成される。
【００５７】
アクセスポイント５３のＡＰＭ故障判別手段５３３以外は、図９と同じであるため、説明を省略する。アクセスポイント５３は、アクセスポイントマネージャの故障データをＡＰＭアドレスと対応付けて格納する。アクセスポイントがこのような故障データを保持する手段として、アクセスポイントマネージャへの何らかの要求に対する応答がないことを利用してもよく、他の監視装置による通知を利用してもよく、保守者の手動による入力を利用してもよい。ＡＰＭ故障判別手段５３３は、無線端末５１から端末登録を受信したときに、ＡＰＭアドレスとアクセスポイントマネージャの故障データとの対応付けを確認し、アクセスポイントマネージャ５５が故障しているか否かを判別する。
【００５８】
なお、アクセスポイント５３が保持するＡＰＭアドレスは、二重化されているアクセスポイントマネージャのアドレスでもよく、その他の任意のＡＰＭアドレスでもよい。また、アクセスポイントが故障していないアクセスポイントを選択する方法として、ラウンドロビンと呼ばれる方法を使用してもよい。
【００５９】
このような通信システムにおける処理手順を示すフローチャートを図１２に示す。
【００６０】
無線端末がアクセスポイントと無線接続すると（Ｓ５０１）、無線端末はアクセスポイントに端末登録を要求する（Ｓ５０３）。この端末登録にはＳＩＰサーバのアドレスが含まれる。アクセスポイントは、予め格納された複数のＡＰＭアドレスのうち、故障していないアクセスポイントマネージャを判別してＳＩＰサーバのアドレスを含む端末登録を送信する（Ｓ５０５）。以下、第４実施形態（Ｓ４０７以降）と同様に処理が続く。
【００６１】
このように、第５実施形態によれば、端末登録のときに故障していないアクセスポイントマネージャに端末登録を要求することができるため、それぞれの関連付けが実現できる。従って、無線端末が移動した場合にも、移動先で端末登録が行われて上記の関連付けが実現できるため、ＶｏＩＰ通信の優先制御を機能させることができる。
【００６２】
なお、ＳＩＰサーバが請求項記載の通信管理装置に相当し、アクセスポイントマネージャが請求項記載の帯域確保管理装置に相当し、アクセスポイントが請求項記載の中継装置に相当する。
（付記１）
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記無線端末の第１の端末登録を前記通信管理装置識別子で特定される通信管理装置に送信するステップ；
前記通信管理装置が、前記第１の端末登録を受信したときに、入力された帯域確保管理装置識別子を前記中継装置に送信するステップ；
前記中継装置が、前記帯域確保管理装置識別子を受信したときに、前記無線端末の第２の端末登録を前記帯域確保管理装置識別子で特定される帯域確保管理装置に送信するステップ；及び
前記帯域確保管理装置が、前記第２の端末登録を受信したときに、前記無線端末と前記中継装置との関連を格納するステップ；
を有する連携方法。
（付記２）
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子と帯域確保管理装置識別子とを含む端末登録を前記中継装置に送信するステップ；
前記中継装置が、前記端末登録を受信したときに、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法。
（付記３）
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記通信管理装置識別子から帯域確保管理装置識別子を導出し、前記無線端末の第１の端末登録を前記帯域確保管理装置識別子で特定される帯域確保管理装置に送信するステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法。
（付記４）
無線端末間の通信接続を確立する通信管理装置と、通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置と、無線端末とを含むネットワークで、該通信管理装置と該帯域確保管理装置と該中継装置と該無線端末とを関連付ける連携方法であって：
前記無線端末が、入力された通信管理装置識別子を含む端末登録を前記中継装置に送信するステップ；
前記中継装置が、前記端末登録を受信したときに、前記無線端末の第１の端末登録を入力された帯域確保管理装置識別子で特定される帯域確保管理装置に送信する帯域確保管理装置送信ステップ；
前記帯域確保管理装置が、前記第１の端末登録を受信したときに、前記無線端末と前記中継装置との関連を格納し、前記無線端末の第２の端末登録を前記通信管理装置識別子で特定される通信管理装置に送信するステップ；及び
前記通信管理装置が、前記第２の端末登録を受信したときに、前記無線端末と前記帯域確保管理装置との関連を格納するステップ；
を有する連携方法。
（付記５）
前記帯域確保管理装置送信ステップは、前記中継装置が、入力された帯域確保管理装置識別子で特定される帯域確保管理装置が故障しているか否かを判別し、前記無線端末の第１の端末登録を故障していない帯域確保管理装置に送信することを特徴とする、付記４に記載の連携方法。
（付記６）
無線端末間の通信接続を確立する通信管理装置と、通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子を含む端末登録を受信したときに、前記通信管理装置識別子で特定される通信管理装置に対して、前記無線端末の第１の端末登録を送信する第１の端末登録送受信手段；及び
前記通信管理装置から帯域確保管理装置識別子を受信したときに、前記帯域確保管理装置識別子で特定される帯域確保管理装置に対して、前記無線端末の第２の端末登録を送信する第２の端末登録送受信手段；
を有する中継装置。
（付記７）
通信管理装置からの帯域確保要求に応じて無線端末間の帯域確保を中継装置に送信する帯域確保管理装置と、帯域確保管理装置からの帯域確保要求に応じて無線端末間の帯域確保を行う中継装置とに接続され、無線端末間の通信接続を確立する通信管理装置であって：
帯域確保管理装置から無線端末の端末登録を受信する端末登録受信手段；及び
前記端末登録を受信したときに、入力された帯域確保管理装置識別子を前記中継装置に送信する帯域確保管理装置識別子通知手段；
を有する通信管理装置。
（付記８）
無線端末間の通信接続を確立する通信管理装置と、通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子と帯域確保管理装置識別子とを含む端末登録を受信したときに、前記帯域確保管理装置識別子で特定される帯域確保管理装置に対して、前記無線端末の第１の端末登録を送信する第１の端末登録送受信手段；
を有する中継装置。
（付記９）
無線端末間の通信接続を確立する通信管理装置と、帯域確保管理装置からの帯域確保要求に応じて無線端末間の帯域確保を行う中継装置とに接続され、通信管理装置からの帯域確保要求に応じて無線端末間の帯域確保を中継装置に送信する帯域確保管理装置であって：
中継装置から通信管理装置識別子を含む無線端末の端末登録を受信したときに、前記無線端末と前記中継装置との関連を格納する関連付け格納手段；及び
中継装置から通信管理装置識別子を含む無線端末の端末登録を受信したときに、前記無線端末の第２の端末登録を前記通信管理装置識別子で特定される通信管理装置に送信する第２の端末登録送受信手段；
を有する帯域確保管理装置。
（付記１０）
通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子を含む端末登録を受信したときに、前記通信管理装置識別子から帯域確保管理装置識別子を導出する帯域確保管理装置識別子導出手段；
前記帯域確保管理装置識別子で特定される帯域確保管理装置に対して、前記無線端末の第１の端末登録を送信する第１の端末登録送受信手段；
を有する中継装置。
（付記１１）
通信管理装置からの帯域確保要求に応じて無線端末間の帯域確保を中継装置に送信する帯域確保管理装置と、無線端末とに接続され、帯域確保管理装置からの帯域確保要求に応じて無線端末間の帯域確保を行う中継装置であって：
無線端末から通信管理装置識別子を含む端末登録を受信したときに、入力された帯域確保管理装置識別子で特定される帯域確保管理装置に対して、前記無線端末の第１の端末登録を送信する第１の端末登録送受信手段；
を有する中継装置。
（付記１２）
入力された帯域確保管理装置識別子で特定される帯域確保管理装置が故障しているか否かを判別する帯域確保管理装置故障判別手段を更に有し、
前記第１の端末登録送受信手段は、前記無線端末の第１の端末登録を故障していない帯域確保管理装置に送信することを特徴とする、付記１１に記載の中継装置。
【符号の説明】
【００６３】
１１  無線端末
１３  アクセスポイント
１５  アクセスポイントマネージャ
１７  ＳＩＰサーバ
１１１  端末登録送信手段
１３１  第１の端末登録送受信手段
１３３  第２の端末登録送受信手段
１５１  関連付け格納手段
１７１  端末登録受信手段
１７３  ＡＰＭアドレス通知手段
２１  無線端末
２３  アクセスポイント
２５  アクセスポイントマネージャ
２７  ＳＩＰサーバ
２１１  端末登録送信手段
２３１  第１の端末登録送受信手段
２５１  第２の端末登録送受信手段
２５３  関連付け格納手段
２７１  端末登録受信手段
２７３  関連付け格納手段
３１  無線端末
３３  アクセスポイント
３５  アクセスポイントマネージャ
３７  ＳＩＰサーバ
３１１  端末登録送信手段
３３１  第１の端末登録送受信手段
３３３  ＡＰＭアドレス導出手段
３５１  第２の端末登録送受信手段
３５３  関連付け格納手段
３７１  端末登録受信手段
３７３  関連付け格納手段
４１  無線端末
４３  アクセスポイント
４５  アクセスポイントマネージャ
４７  ＳＩＰサーバ
４１１  端末登録送信手段
４３１  第１の端末登録送受信手段
４５１  第２の端末登録送受信手段
４５３  関連付け格納手段
４７１  端末登録受信手段
４７３  関連付け格納手段
５１  無線端末
５３  アクセスポイント
５５  アクセスポイントマネージャ
５７  ＳＩＰサーバ
５１１  端末登録送信手段
５３１  第１の端末登録送受信手段
５３３  ＡＰＭ故障判別手段
５５１  第２の端末登録送受信手段
５５３  関連付け格納手段
５７１  端末登録受信手段
５７３  関連付け格納手段
【図１】
2011061864.tif 000003
【図２】
2011061864.tif 000004
【図３】
2011061864.tif 000005
【図４】
2011061864.tif 000006
【図５】
2011061864.tif 000007
【図６】
2011061864.tif 000008
【図７】
2011061864.tif 000009
【図８】
2011061864.tif 000010
【図９】
2011061864.tif 000011
【図１０】
2011061864.tif 000012
【図１１】
2011061864.tif 000013
【図１２】
2011061864.tif 000014